(57)【要約】【課題】  簡単に誤配線を検知することができ、リレーを含む電気部品を保護することのできる安価な空気調和機の誤配線検知方法を提供する。【解決手段】  電源６に接続された圧縮機用リレー３、ファンモータ用リレー４及び四方弁用リレー５を有する室内機１と、圧縮機用リレー３、ファンモータ用リレー４及び四方弁用リレー５にそれぞれ接続されて駆動される圧縮機１３、ファンモータ１４及び四方弁１５を有する室外機１１とを備え、圧縮機用リレー３と圧縮機１３との接続状態を室内機１又は室外機１１の温度変化によって検知する。【選択図】        図１
2005249338.tif 000002
【特許請求の範囲】
【請求項１】
電源に接続された圧縮機用リレー、ファンモータ用リレー及び四方弁用リレーを有する室内機と、前記圧縮機用リレー、ファンモータ用リレー及び四方弁用リレーにそれぞれ接続されて駆動される圧縮機、ファンモータ及び四方弁を有する室外機とを備え、
前記圧縮機用リレーと圧縮機との接続状態を前記室内機又は室外機の温度変化によって検知することを特徴とする空気調和機の誤配線検知方法。
【請求項２】
電源に接続された圧縮機用リレー、ファンモータ用リレー及び四方弁用リレーを有する室内機と、前記圧縮機用リレー、ファンモータ用リレー及び四方弁用リレーにそれぞれ接続されて駆動される圧縮機、ファンモータ及び四方弁を有する室外機とを備え、
前記圧縮機用リレーと圧縮機及び前記四方弁用リレーと四方弁との接続状態を前記室内機又は室外機の温度変化によって検知することを特徴とする空気調和機の誤配線検知方法。
【発明の詳細な説明】
【技術分野】
【０００１】
本発明は、室内熱交換器と室外熱交換器とを有する空気調和機の誤配線検知方法に関するものである。
【背景技術】
【０００２】
室内熱交換器と室外熱交換器とを有する空気調和機において、据付時に誤って配線されたまま運転を開始すると、四方弁駆動用のリレーあるいはファンモータ駆動用リレーにより電源と圧縮機が接続されてこれらリレーに過電流が流れ、リレー等の部品が破損して製品の機能に支障を来すという問題がある。
【０００３】
このような問題を解消するために、室内機の接続部と室外機の接続部とを接続した後、電源を投入して圧縮機用リレーをオンし、その後、電流センサにより室外機の入力電流を検出する。そして、入力電流判別部により電流センサにより検出された入力電流が所定電流値以上か否かを判別し、電流センサにより検出された入力電流が所定電流値以上のときは室内機の接続部と室外機の接続部との接続が正常であるとし、入力電流判別部により電流センサにより検出された入力電流が所定電流値未満のときは異常通知部により誤配線であることを通知するようにした空気調和機の誤配線検知方法が提案されている（例えば、特許文献１参照）。
【特許文献１】特開２０００−１８６８６号公報（第３−４頁、図１）
【発明の開示】
【発明が解決しようとする課題】
【０００４】
特許文献１の誤配線検知方法は、電源と圧縮機との間に電流センサを接続しなければならないので、構造が複雑になるばかりでなく、コストアップを招来するという問題がある。
【０００５】
本発明は、上記の課題を解決するためになされたもので、電流センサの如き別部品を設けることなく、簡単に誤配線を検知することができ、リレーを含む電気部品を保護することのできる安価な空気調和機の誤配線検知方法を提供することを目的としたものである。
【課題を解決するための手段】
【０００６】
本発明に係る電気調和機の誤配線検知方法は、電源に接続された圧縮機用リレー、ファンモータ用リレー及び四方弁用リレーを有する室内機と、前記圧縮機用リレー、ファンモータ用リレー及び四方弁用リレーにそれぞれ接続されて駆動される圧縮機、ファンモータ及び四方弁を有する室外機とを備え、前記圧縮機用リレーと圧縮機との接続状態を前記室内機又は室外機の温度変化によって検知するようにしたものである。
【発明の効果】
【０００７】
本発明は、電流センサの如き別部品を付加することなく簡単に誤配線を検知することができるので、コストが上昇することなく圧縮機用リレー以外のリレー及び電気回路を保護することができ、また、圧縮機用リレー以外のリレーを負荷に見合ったものにできるので、コストを低減することができる。
【発明を実施するための最良の形態】
【０００８】
［実施の形態１］
図１は本発明の実施の形態１に係る空気調和機の概略配線図、図２は図１の空気調和機の概略構成を示すブロック図である。
図２において、１は室内熱交換器（以下、室内機という）、２は室内機１の温度を検出する温度センサ、１１は室外熱交換器（以下、室外機という）、１２は室外機１１の温度を検出する温度センサである。１３は室外機１１に設けられた圧縮機、１５は同じく四方弁で、これらは配管により接続されている。
【０００９】
また、図１において、７は室内機１の端子台、１６は室外機１１の端子台で、それぞれ端子Ａ1〜Ａ4、Ｂ1〜Ｂ4を備えており、電源６に接続された端子Ａ1は配線２１ａを介して端子Ｂ1に接続され、電源回路を形成している。
３は一端が電源６に接続され、他端が端子Ａ2に接続された圧縮機駆動用のリレー（以下、圧縮機用リレーという）で、端子Ａ2は配線２１ｂを介して室外機１１の端子Ｂ2に接続され、端子Ｂ2は圧縮機１３に接続されている。
【００１０】
４は同じく端子Ａ3に接続されたファンモータ駆動用のリレー（以下、ファンモータ用リレーという）で、端子Ａ3は配線２１ｃを介して室外機１１の端子Ｂ3に接続され、端子Ｂ3はファンモータ１４に接続されている。また、５は同じく端子Ａ4に接続された四方弁駆動用のリレー（以下、四方弁用リレーという）で、端子Ａ4は配線２１ｄを介して室外機１１の端子Ｂ4に接続され、端子Ｂ4は四方弁１５に接続されている。８は圧縮機用リレー３、ファンモータ用リレー４、四方弁用リレー５などを制御する制御部である。なお、圧縮機１３には、ファンモータ１４、四方弁１５より大きな駆動電流が供給されるようになっている。
【００１１】
上記のような空気調和機において、冷房運転時は、冷媒は図２に実線矢印で示すように流れる。すなわち、圧縮機１３で圧縮されたガス冷媒は四方弁１５の実線経路を経て室外機１１に流入する。ガス冷媒は室外機１１で外気と熱交換されて液冷媒となる。室外機１１から流出した液冷媒は減圧されて低温低圧液冷媒となって室内機１に送られ、室内の空気と熱交換を行うことにより蒸発したガス冷媒は、四方弁１５を経て圧縮機１３に送られ、再び圧縮される。なお、このとき、室内機１の温度は熱交換により低下し、室外機１１の温度は上昇する。
【００１２】
また、暖房運転時は、冷房運転の場合と同様に圧縮機１３で圧縮されたガス冷媒は、四方弁１５の破線経路を経て破線矢印で示すように冷房運転の場合と逆方向に流れる。そして、室内機１で熱交換されて液冷媒となる。室内機１から流出した液冷媒は減圧されて低温低圧液冷媒となって室外機１１に送られ、外気と熱交換されてガス冷媒となり、四方弁１５を経て圧縮機１３に送られ、再び圧縮される。このとき、室内機１の温度は熱交換により上昇し、室外機１１の温度は低下する。
【００１３】
次に、上記のように構成した本実施の形態の作用を、図３のフローチャートを参照して説明する。なお、四方弁１５は四方弁用リレー５がＯＦＦの場合は冷房運転（実線で示す）、四方弁用リレー５がＯＮの場合は暖房運転（破線で示す）となる。
いま、冷房運転状態の空気調和機（四方弁用リレー５がＯＦＦ）において、電源６を投入して圧縮機用リレー３をＯＮし（ステップＳ−１）、圧縮機１３に通電する。そして、温度センサ２で検出した室内機１の温度が低下したときは（ステップＳ−２）、端子Ａ2、配線２１ｂ、端子Ｂ2を介して圧縮機１３に通電されて圧縮機１３が駆動され、室内機１が熱交換を行なっていることがわかるので、配線が正常に接続されていると判断し、正常処理を行う（ステップＳ−３）。また、室内機１の温度が低下しないときは（ステップＳ−２）、誤配線により圧縮機１３に通電されていないと判断し、警告表示などの異常処理を行う（ステップＳ−４）。
【００１４】
本実施の形態においては、電流センサ等の電気部品を付加したり、回路を変更したりすることなく、圧縮機用リレー３と圧縮機１３との配線接続が正常か異常か（配線２１ｂにより端子Ａ2とＢ2が正常に接続されているかどうか）を、室内機１の温度変化によって検知するようにしたので、コストが上昇することなく、圧縮機用リレー３以外のリレーを含む回路を保護することができ、また、圧縮機用リレー３以外のリレーを負荷に見合って小型（安価）にすることができ。
【００１５】
［実施の形態２］
実施の形態１では、圧縮機用リレー３と圧縮機１３との配線接続の状態を検知する方法について説明したが、本実施の形態は、ファンモータ１４と四方弁１５の配線の接続状態を検知するようにしたものである。なお、空気調和機の構成及び電気的配線は実施の形態１の場合と同様なので、説明を省略する（以下の実施の形態においても同じである）。
以下に、本実施の形態の冷房運転時における作用を、図４のフローチャートにより説明する。
【００１６】
冷房運転状態において、先ず、電源６を投入して圧縮機用リレー３をＯＮし（ステップＳ−１１）、圧縮機１３が駆動されて室内機１の温度が低下するかどうかを確認する（ステップＳ−１２）。室内機１の温度が低下した場合は、端子Ａ2、配線２１ｂ、端子Ｂ2を介して圧縮機１３に通電して圧縮機１３が駆動されたので、配線接続が正常であると判断する。
【００１７】
次に、四方弁用リレー５をＯＮし、四方弁１５を暖房運転に切換える（ステップＳ−１３）。これにより、室内機１の温度が上昇すれば、端子Ａ4、配線２１ｄ、端子Ｂ4を介して四方弁１５に通電され、四方弁１３が駆動されて切換られたので、配線接続が正常であると判断し、正常処理を行う（ステップＳ−１５）。
圧縮機１３又は四方弁１５に通電しても室内機１の温度が変化しない場合は（ステップＳ−１２又はＳ−１４）、誤配線されて圧縮機１３又は四方弁１５に通電されていないと判断し、警告表示などの異常処理を行う（ステップＳ−１６）。
【００１８】
本実施の形態によれば、圧縮機１３及び四方弁１５の配線接続が正常か異常かを検知することができるので、実施の形態１の場合とほぼ同様の効果を得ることができる。また、例えば、端子Ａ1とＢ2あるいは端子Ａ2とＢ1というような誤配線を検知することができ、さらに、ファンモータ１４と四方弁１５との誤配線も検知することができる。
【００１９】
［実施の形態３］
実施の形態１，２では室内機１の温度の変化を検出して誤配線を検知する場合を示したが、本実施の形態においては、室外機１１の温度の変化を検出することにより誤配線を検知するようにしたものである。
以下、図５のフローチャートを用いて本実施の形態の作用を説明する。
【００２０】
先ず、空気調和機が冷房運転状態（四方弁用リレー５がＯＦＦ）において、圧縮機用リレー３をＯＮし（ステップＳ−２１）、圧縮機１３に通電しつつ室外機２１の温度変化を確認する。温度センサ１２で検出した室外機１１の温度が上昇した場合は、端子Ａ2、配線２１ｂ、端子Ｂ2を介して圧縮機１３に通電され、圧縮機１３が駆動されて室外機１１が熱交換していることがわかるので、配線は正常に接続されていると判断し、正常処理を行う（ステップＳ−２３）。
室外機１１の温度が上昇しない場合は誤配線されて圧縮機１３に通電されていないと判断し、警告表示などの異常処理を行う（ステップＳ−２４）。
【００２１】
本実施の形態によれば、実施の形態１とほぼ同様の効果が得られるが、さらに、圧縮機用リレー３と圧縮機１３との誤配線の有無を、圧縮機１３に近い室外機１１の温度の変化によって検知するようにしたので、温度の変化を早く検出することができ、これにより判定時間を短かくすることができる。
【００２２】
［実施の形態４］
実施の形態１，２では室内機１の温度変化、実施の形態３では室外機１１の温度変化を検出して誤配線の有無を検知する場合を示したが、本実施の形態においては、室内機１と室外機１１の両者の温度変化を検出して誤配線の有無を検知するようにしたものである。
以下、図６のフローチャートを用いて本実施の形態の作用を説明する。
【００２３】
四方弁１５が冷房運転状態の空気調和機において、先ず、圧縮機用リレー３をＯＮし（ステップＳ−３１）、圧縮機１３に通電しつつ室外機１１の温度が上昇するかどうかを確認する（ステップＳ−３２）、室外機１１の温度が上昇した場合は、端子Ａ2、配線２１ｂ、端子Ｂ2を介して圧縮機１３に通電され、圧縮機１３が駆動されているので配線の接続は正常であると判断する。その後、四方弁用リレー５をＯＮし（ステップＳ−３３）、四方弁１５を暖房運転に切換えて室内機１の温度が変化するかどうかを確認する。室内機１の温度が上昇すれば、端子Ａ4、配線２１ｄ、端子Ｂ4を介して四方弁１５に通電され、四方弁１５が駆動されたことがわかるので、配線接続が正常であると判断し、正常処理を行う（ステップＳ−３５）。圧縮機用リレー３又は四方弁用リレー５をＯＮしても、室外機１１又は室内機１の温度が変化しない場合は、誤配線されていると判断し、警告表示などの異常処理を行う（ステップＳ−３６）。
【００２４】
本実施の形態においては、冷房運転時には圧縮機１３に近い室外機１１の温度変化により、圧縮用リレー３と圧縮機１３との配線状態を判断し、暖房運転時には圧縮機１３に近い室内機１の温度変化により、四方弁用リレー５と四方弁１５との配線状態を判断するようにしたので、より早く温度の変化を検出することができ、判定時間を早めることができる。
【図面の簡単な説明】
【００２５】
【図１】本発明の実施の形態１に係る空気調和機の概略配線図である。
【図２】図１の空気調和機の概略構成を示すブロック図である。
【図３】実施の形態１の作用を説明するためのフローチャートである。
【図４】本発明の実施の形態２の作用を説明するためのフローチャートである。
【図５】本発明の実施の形態３の作用を説明するためのフローチャートである。
【図６】本発明の実施の形態４の作用を説明するためのフローチャートである。
【符号の説明】
【００２６】
１  室内機、２，１２  温度センサ、３  圧縮機用リレー、４  ファンモータ用リレー、５  四方弁用リレー、７  室内機側端子台、１１  室外機、１３  圧縮機、１４  ファンモータ、１５  四方弁、１６  室外機側端子台。
【図１】
2005249338.tif 000003
【図２】
2005249338.tif 000004
【図３】
2005249338.tif 000005
【図４】
2005249338.tif 000006
【図５】
2005249338.tif 000007
【図６】
2005249338.tif 000008